(57)【要約】    【課題】幹線の通信方式の変更（使用変更）が生じても、ハ−ドウェアを変更せずに対応できるようにする。    【解決手段】インタ−ホン装置は、呼び出し通話を行うインタ−ホン子機１ａ、１ｂ、・・・と、インタ−ホン子機から呼び出され通話を行うためのインタ−ホン親機２ａ、２ｂ、・・・とを備える。  インタ−ホン子機１ａ、１ｂ、・・・とインタ−ホン親機２ａ、２ｂ、・・・は、インタ−ホン子機とインタ−ホン親機間で制御デ−タｄ１０４、ｄ１０５、ｄ２０４、ｄ２０５、音声信号ｓ１０３、ｓ１０６、ｓ２０３、ｓ２０６、映像信号ｓ１０１、ｓ２０２を相互に多重伝送するのに必要なフィルタ、ミキサ、乗算回路、変調器および復調器などの多重化機能を数値演算によって行う子機、親機デジタル信号処理装置１１２、２１２を備える。    【選択図】図１
2005109833.tif 000002
【特許請求の範囲】
【請求項１】
呼び出し通話を行うインタ−ホン子機(１ａ、１ｂ、・・・)と、前記インタ−ホン子機から呼び出され通話を行うためのインタ−ホン親機 (２ａ、２ｂ、・・・)とを設け、
前記インタ−ホン子機と前記インタ−ホン親機のそれぞれには、前記インタ−ホン子機と前記インタ−ホン親機間で制御デ−タ(ｄ１０４、ｄ１０５、ｄ２０４、ｄ２０５)、音声信号(ｓ１０３、ｓ１０６、ｓ２０３、ｓ２０６)、映像信号(ｓ１０１、ｓ２０２)を相互に多重伝送するのに必要なフィルタ、ミキサ、乗算回路、変調器および復調器などの多重化機能を数値演算によって行うデジタル信号処理装置(１１２、２１２)を備えたことを特徴とするインタ−ホン装置。
【請求項２】
前記デジタル信号処理装置に搭載されるソフトウェアの切替え又は変更によって、振幅変調(ＡＭ)、周波数変調(ＦＭ)などの異なる多重化方式を選択できるように構成したことを特徴とする請求項１記載のインタ−ホン装置。
【請求項３】
前記多重伝送に必要なフィルタ、ミキサ、乗算回路、変調器および復調器などの多重化機能を構成するソフトウェアを切替え又は変更するにあたり、
前記デジタル信号処理装置に搭載されるソフトウェアを外部の設定用メモリ(１１３、２１３)によって変更することを特徴とする請求項１または請求項２記載のインタ−ホン装置。
【請求項４】
前記多重伝送に必要なフィルタ、ミキサ、乗算回路、変調器および復調器などの多重化機能を構成するソフトウェアを切替え又は変更するにあたり、
前記デジタル信号処理装置のソフトウェアを外部の設定用スイッチ(１１４、２１４)によって切替えることを特徴とする請求項１乃至請求項３何れか１項記載のインタ−ホン装置。
【請求項５】
前記多重伝送に必要なフィルタ、ミキサ、乗算回路、変調器および復調器などの多重化機能を構成するソフトウェアを切替え又は変更するにあたり、
前記デジタル信号処理装置のソフトウェアを前記インタ−ホン親機及び前記インタ−ホン子機の少なくとも何れか一方に搭載されたＣＰＵ(１１０、２１０)の制御によって変更することを特徴とする請求項１乃至請求項４何れか１項記載のインタ−ホン装置。
【請求項６】
前記多重伝送に必要なフィルタ、ミキサ、乗算回路、変調器および復調器などの多重化機能を構成するソフトウェアを切替え又は変更するにあたり、
前記デジタル信号処理装置のソフトウェアを前記インタ−ホン子機および前記インタ−ホン親機の一方から他方へ切替え、変更信号を伝送することによって変更することを特徴とする請求項１乃至請求項５何れか１項記載のインタ−ホン装置。
【請求項７】
前記多重伝送に必要なフィルタ、ミキサ、乗算回路、変調器および復調器などの多重化機能を構成するソフトウェアを切替え又は変更するにあたり、
前記デジタル信号処理装置のソフトウェアを前記インタ−ホン子機および前記インタ−ホン親機の一方から他方へ伝送することによって変更することを特徴とする請求項１乃至請求項６何れか１項記載のインタ−ホン装置。
【請求項８】
前記多重伝送に必要なフィルタ、ミキサ、乗算回路、変調器および復調器などの多重化機能を構成するソフトウェアを変更するにあたり、
前記デジタル信号処理装置のソフトウェアを外部ネットワ−ク（５）から切替え、変更信号を伝送することによって変更することを特徴とする請求項１乃至請求項７何れか１項記載のインタ−ホン装置。
【請求項９】
前記多重伝送に必要なフィルタ、ミキサ、乗算回路、変調器および復調器などの多重化機能を構成するソフトウェアを変更するにあたり、
前記デジタル信号処理装置のソフトウェアを外部ネットワ−ク（５）からソフトウェアを伝送することによって変更することを特徴とする請求項１乃至請求項８何れか１項記載のインタ−ホン装置。
【発明の詳細な説明】
【技術分野】
【０００１】
本発明は、インタ−ホン装置に係わり、特に変調・復調回路をソフトウェアによって構成したインタ−ホン装置に関する。
【背景技術】
【０００２】
従来から、この種のインタ−ホン装置として、カメラを備えた複数台のインターホン子機と、カメラで撮影された画像を表示するモニタを備えたインターホン親機とから成るインタ−ホン装置が知られている（例えば、特許文献１参照）。
【０００３】
このインタ−ホン装置においては、モニタ画像信号及びインターホン通話信号のうちのいずれか一方の信号をベースバンド伝送信号とし、他方の信号を上記ベースバンド信号の周波数帯域外の比較的に低い周波数の搬送波に重畳したキャリア伝送信号として、上記ベースバンド伝送信号及びキャリア伝送信号を合成して周波数多重伝送して、インターホン親機とインターホン子機との間でモニタ画像信号及びインターホン通話信号の送受信を行い、インターホン子機の呼び出しスイッチが押されたことを示すと共に、上記ベースバンド伝送信号及びキャリア伝送信号の周波数帯域の複数の周波数を時系列に組み合わせて構成され夫々のインターホン子機毎に個別に設定された制御信号を、インターホン親機に送信する制御信号伝送手段を各インターホン子機に設け、上記制御信号を検出していずれのインターホン子機からの呼出であるかを識別する制御信号検出手段をインターホン親機に設けている。
【０００４】
このような構成のインタ−ホン装置においては、モニタ画像信号を伝送する同軸ケーブルを必要とせず、インターホン通話線だけでインターホン子機とインターホン親機との信号伝送を行うことができる。また、インターホン親機側でいずれの子機からの呼出であるかを分かるようにして、１台のインターホン親機に対して複数台のインターホン子機をつなぐことができる。
【０００５】
しかしながら、このような構成のインタ−ホン装置においては、制御信号、インターホン通話信号（音声信号）およびモニタ画像信号（映像信号）を多重化する際、フィルタ回路、変調器回路および復調器回路などの専用ハ−ドウェアが多重化する信号ごとに独立して必要となるため、多重化する信号数が増えるに伴いハ−ドウェアが複雑かつ大規模となり、コスト高になるという難点があった。また、変調方式および復調方式の変更には、ハ−ドウェアの変更が伴うなどの難点があった。
【０００６】
【特許文献１】特許第２６３４４４３号公報  （「特許請求の範囲」の欄、「発明の詳細な説明の作用の欄）、図１〜図５）
【発明の開示】
【発明が解決しようとする課題】
【０００７】
本発明は、このような難点を解決するためになされたもので、フィルタ回路、変調器回路および復調器回路などを、デジタル信号処理装置（Ｄｉｇｉｔａｌ Ｓｉｇｎａｌ Ｐｒｏｃｅｓｓｏｒ：ＤＳＰ）を用いてデジタルによる数値演算に置き換えることにより、ハ−ドウェアを共用化するとともに、同一のハ−ドウェアでデジタル信号処理装置のソフトウェアを変更することで、変調方式および復調方式の変更を可能としたインタ−ホン装置を提供することを目的としている。
【課題を解決するための手段】
【０００８】
本発明の第１の態様であるインタ−ホン装置は、呼び出し通話を行うインタ−ホン子機と、インタ−ホン子機から呼び出され通話を行うためのインタ−ホン親機とを設け、インタ−ホン子機とインタ−ホン親機のそれぞれには、インタ−ホン子機とインタ−ホン親機間で制御デ−タ、音声信号、映像信号を相互に多重伝送するのに必要なフィルタ、ミキサ、乗算回路、変調器および復調器などの多重化機能を数値演算によって行うデジタル信号処理装置を備えたものである。
【０００９】
また、本発明の第２の態様は、第１の態様であるインタ−ホン装置において、デジタル信号処理装置に搭載されるソフトウェアの切替え又は変更によって、振幅変調(ＡＭ)、周波数変調(ＦＭ)などの異なる多重化方式を選択できるように構成したものである。
【００１０】
また、本発明の第３の態様は、第１の態様または第２の態様であるインタ−ホン装置において、多重伝送に必要なフィルタ、ミキサ、乗算回路、変調器および復調器などの多重化機能を構成するソフトウェアを切替え又は変更するにあたり、デジタル信号処理装置に搭載されるソフトウェアを外部の設定用メモリによって変更するものである。
【００１１】
また、本発明の第４の態様は、第１の態様乃至第３の態様の何れかであるインタ−ホン装置において、多重伝送に必要なフィルタ、ミキサ、乗算回路、変調器および復調器などの多重化機能を構成するソフトウェアを切替え又は変更するにあたり、デジタル信号処理装置のソフトウェアを外部の設定用スイッチによって切替えるものである。
【００１２】
また、本発明の第５の態様は、第１の態様乃至第４の態様の何れかであるインタ−ホン装置において、多重伝送に必要なフィルタ、ミキサ、乗算回路、変調器および復調器などの多重化機能を構成するソフトウェアを切替え又は変更するにあたり、デジタル信号処理装置のソフトウェアをインタ−ホン親機及びインタ−ホン子機の少なくとも何れか一方に搭載されたＣＰＵの制御によって変更するものである。
【００１３】
また、本発明の第６の態様は、第１の態様乃至第５の態様の何れかであるインタ−ホン装置において、多重伝送に必要なフィルタ、ミキサ、乗算回路、変調器および復調器などの多重化機能を構成するソフトウェアを切替え又は変更するにあたり、デジタル信号処理装置のソフトウェアをインタ−ホン子機および前記インタ−ホン親機の一方から他方へ切替え、変更信号を伝送することによって変更するものである。
【００１４】
また、本発明の第７の態様は、第１の態様乃至第６の態様の何れかであるインタ−ホン装置において、多重伝送に必要なフィルタ、ミキサ、乗算回路、変調器および復調器などの多重化機能を構成するソフトウェアを切替え又は変更するにあたり、デジタル信号処理装置のソフトウェアを前記インタ−ホン子機およびインタ−ホン親機の一方から他方へ伝送することによって変更するものである。
【００１５】
また、本発明の第８の態様は、第１の態様乃至第７の態様の何れかであるインタ−ホン装置において、多重伝送に必要なフィルタ、ミキサ、乗算回路、変調器および復調器などの多重化機能を構成するソフトウェアを変更するにあたり、デジタル信号処理装置のソフトウェアを外部ネットワ−クから切替え、変更信号を伝送することによって変更するものである。
【００１６】
また、本発明の第９の態様は、第１の態様乃至第８の態様の何れかであるインタ−ホン装置において、多重伝送に必要なフィルタ、ミキサ、乗算回路、変調器および復調器などの多重化機能を構成するソフトウェアを変更するにあたり、デジタル信号処理装置のソフトウェアを外部ネットワ−クからソフトウェアを伝送することによって変更するものである。
【発明の効果】
【００１７】
本発明の第１の態様乃至第９の態様のインタ−ホン装置によれば、デジタル信号処理装置を用いることにより、フィルタ回路、変調器回路および復調器回路などをデジタルによる数値演算に置き換えていることから、変調方式および復調方式をソフトウェアにて変更することができ、また、変調方式および復調方式に係るハ−ドウェアの構成を共用化でき、例えば、伝送速度の向上や信頼性の向上のため、変調方式および復調方式を変更した場合でも旧来の製品のハ−ドウェアはそのままで変調および復調のソフトウェアの変更で対応することができる。
【発明を実施するための最良の形態】
【００１８】
以下、本発明のインタ−ホン装置を適用した実施の形態例について、図面を参照して詳述する。ここで、図１は、本発明のインタ−ホン装置における一実施例の全体構成を示すブロック図、図２は、本発明のインタ−ホン装置におけるデ−タの構成を示すタイミング図である。
【００１９】
図１において、本発明のインタ−ホン装置は、来訪者が呼び出し通話を行うための複数台のインタ−ホン子機１ａ、１ｂ、・・・と、インタ−ホン子機１ａ、１ｂ、・・・からの呼び出しを受け来訪者との通話を行う複数台のインタ−ホン親機２ａ、２ｂ、・・・と、インタ−ホン子機１ａ、１ｂ、・・・とインタ−ホン親機２ａ、２ｂ、・・・を接続する伝送線路３とを備えており、伝送線路３には、インターフェイス（Ｉ／Ｆ）４を介して外部ネットワーク５および外部通信機器６が接続されている。
【００２０】
各インタ−ホン子機１ａ、１ｂ、・・・は、それぞれ同様の構成とされ、来訪者を撮像するカメラ１０１と、カメラ１０１のアナログ映像信号ｓ１０１をデジタル化するＡ／Ｄ変換器（以下「第１の子機Ａ／Ｄ変換器」という。）１０２と、第１の子機Ａ／Ｄ変換器１０２でデジタル化されたデジタル映像信号ｓ１０２をモ−ションＪＰＥＧなどの伝送に適したデ−タ（以下「映像デ−タ」という。）ｄ１０１に変換する映像信号処理回路（以下「子機映像信号処理回路」という。）１０３と、来訪者が通話をするためのマイク（以下「子機マイク」という。）１０４およびスピーカ（以下「子機スピーカ」という。）１０５と、子機マイク１０４のアナログ音声信号ｓ１０３をデジタル音声ｓ１０４に変換するＡ／Ｄ変換器（以下「第２の子機Ａ／Ｄ変換器」という。）１０６と、インタ−ホン親機２ａ、２ｂ、・・・から伝送されてきたデジタル音声信号ｓ１０５をアナログ音声信号ｓ１０６に変換するＤ／Ａ変換器（以下「第１の子機Ｄ／Ａ変換器」という。）１０７と、子機マイク１０４からデジタルに変換されたデジタル音声信号ｓ１０４を、μ則ＰＣＭやＡＤＰＣＭなど伝送に適したデ−タ（以下「音声デ−タ」という。）ｄ１０２に変換し、逆にインタ−ホン親機２ａ、２ｂ、・・・から伝送されてきた音声デ−タｄ１０３をμ則ＰＣＭやＡＤＰＣＭなどから元のデ−タに逆変換する音声信号処理回路（以下「子機音声信号処理回路」という。）１０８と、来訪者がインタ−ホン親機２ａ、２ｂ、・・・を呼出すための呼出ボタン１０９と、呼出ボタン１０９の状態を検知するとともにインタ−ホン親機２ａ、２ｂ、・・・との通信制御を行うためのＣＰＵ（以下「子機ＣＰＵ」という。）１１０と、カメラ１０１で撮像されデジタル変換された映像デ−タｄ１０１、子機マイク１０４で集音されデジタル変換された音声デ−タｄ１０２および子機ＣＰＵ１１０より送出された制御デ−タｄ１０４を伝送に適した送信フレ−ムｆ１０１に組み立てるとともに、インタ−ホン親機２ａ、２ｂ、・・・より伝送されてきた受信フレ−ムｆ１０２から音声デ−タｄ１０３および制御デ−タｄ１０５を取り出すためのフレーム生成分離回路（以下「子機フレーム生成分離回路」という。）１１１と、設定されたソフトウェアにより子機フレーム生成分離回路１１１から送出された送信フレ−ムｆ１０１を変調するとともに、インタ−ホン親機２ａ、２ｂ、・・・より伝送されてきた受信信号ｓ１０７を復調するデジタル信号処理装置（以下「子機デジタル信号処理装置」という。）１１２と、子機デジタル信号処理装置１１２の設定用ソフトウェアを格納する設定用メモリ（以下「子機設定用メモリ」という。）１１３と、子機デジタル信号処理装置１１２を外部より設定するための設定用スイッチ（以下「子機設定用スイッチ」という。）１１４と、子機デジタル信号処理装置１１２で変調されたデジタル送信信号ｓ１０８をアナログに変換するＤ/Ａ変換器（以下「第２の子機Ｄ/Ａ変換器」という。）１１５と、インタ−ホン親機２ａ、２ｂ、・・・より伝送されてきた受信信号ｓ１１０をデジタルに変換するＡ／Ｄ変換器（以下「第３の子機Ａ／Ｄ変換器」という。）１１６と、送信信号ｓ１０９を伝送線路３へ送信するための送信ドライバ機能、伝送線路３からの受信信号ｓ１１０を受信するためのレシ−バ−機能および伝送線路３とのインピ−ダンスマッチングをとるマッチング機能を有するアナログフロントエンド回路（以下「子機アナログフロントエンド回路」という。）１１７とを備えている。
【００２１】
ここで、子機フレーム生成分離回路１１１は、子機映像信号処理回路１０３、子機音声信号処理回路１０８、子機ＣＰＵ１１０および子機デジタル信号処理装置１１２に接続され、子機映像信号処理回路１０３には第１の子機Ａ／Ｄ変換器１０２、子機音声信号処理回路１０８には第２の子機Ａ／Ｄ変換器１０６および第１の子機Ｄ／Ａ変換器１０７が、子機ＣＰＵ１１０には呼出ボタン１０９が、子機デジタル信号処理装置１１２には子機ＣＰＵ１１０、子機設定用メモリ１１３、子機設定用スイッチ１１４、第２の子機Ｄ／Ａ変換器１１５および第３の子機Ａ／Ｄ変換器１１６がそれぞれ接続されている。また、第１の子機Ａ／Ｄ変換器１０２はカメラ１０１に、第２の子機Ａ／Ｄ変換器１０６は子機マイク１０４に、第１の子機Ｄ／Ａ変換器１０７は子機スピーカ１０５に、第２の子機Ｄ／Ａ変換器１１５および第３の子機Ａ／Ｄ変換器１１６は子機アナログフロントエンド回路１１７にそれぞれ接続され、子機アナログフロントエンド回路１１７には伝送線路３が接続されている。
【００２２】
各インタ−ホン親機２ａ、２ｂ、・・・は、それぞれ同様の構成とされ、インタ−ホン子機１ａ、１ｂ、・・・のカメラ１０１で撮像した来訪者映像を表示するためのモニタ２０１と、インタ−ホン子機１ａ、１ｂ、・・・から伝送されてきたモ−ションＪＰＥＧなどの映像デ−タｄ２０１をモニタ２０１に表示するためにデジタルＲＧＢ信号ｓ２０１に変換するための映像信号処理回路（以下「親機映像信号処理回路」という。）２０３と、デジタルＲＧＢ信号ｓ２０１をアナログＲＧＢ信号ｓ２０２に変換するＤ／Ａ変換器（以下「第１の親機Ｄ／Ａ変換器」という。）２０２と、応対者が来訪者と通話するためのマイク（以下「親機マイク」という。）２０４およびスピーカ（以下「親機スピーカ」という。）２０５と、親機マイク２０４のアナログ音声信号ｓ２０３をデジタル音声ｓ２０４に変換するＡ／Ｄ変換器（以下「第１の親機Ａ／Ｄ変換器」という。）２０６と、インタ−ホン子機１ａ、１ｂ、・・・から伝送されてきたデジタル音声信号ｓ２０５をアナログ音声信号ｓ２０６に変換するＤ／Ａ変換器（以下「第２の親機Ｄ／Ａ変換器」という。）２０７と、親機マイク２０４の入力をＡ/Ｄ変換したデジタル音声信号ｓ２０４をμ則ＰＣＭやＡＤＰＣＭなど伝送に適したデ−タ（以下「音声デ−タ」という。）ｄ２０２に変換し、逆にインタ−ホン子機１ａ、１ｂ、・・・から伝送されてきた音声デ−タｄ２０３をμ則ＰＣＭやＡＤＰＣＭなどから元のデ−タに逆変換する音声信号処理回路（以下「親機音声信号処理回路」という。）２０８と、応対者が応答するための応答ボタン２０９と、応答ボタン２０９の状態を検知するとともにインタ−ホン子機１ａ、１ｂ、・・・との通信制御を行うためのＣＰＵ（以下「親機ＣＰＵ」という。）２１０と、親機音声信号処理回路２０８より送出された音声デ−タｄ２０２および親機ＣＰＵ２１０より送出された制御デ−タｄ２０４を伝送に適したフレ−ムに組み立てるとともに、インタ−ホン子機１ａ、１ｂ、・・・より伝送されてきた受信フレ−ムｆ２０１から映像デ−タｄ２０１、音声デ−タｄ２０３および制御デ−タｄ２０５を取り出すフレーム生成分離回路（以下「親機フレーム生成分離回路」という。）２１１と、設定されたソフトウェアによって親機フレーム生成分離回路２１１から送出された送信フレ−ムｆ２０２を変調するとともに、インタ−ホン子機１ａ、１ｂ、・・・より伝送されてきた受信信号ｓ２０５を復調するデジタル信号処理装置（以下「親機デジタル信号処理装置」という。）２１２と、親機デジタル信号処理装置２１２の設定用ソフトウェアを格納する設定用メモリ（以下「親機設定用メモリ」という。）２１３と、親機デジタル信号処理装置２１２を外部より設定するための設定用スイッチ（以下「親機設定用スイッチ」という。）２１４と、親機デジタル信号処理装置２１２で変調されたデジタル送信信号ｓ２０６をアナログに変換するＤ／Ａ変換器（以下「第３の親機Ｄ／Ａ変換器」という。）２１５と、インタ−ホン子機１ａ、１ｂ、・・・より伝送されてきた受信信号ｓ２０７をデジタルに変換するＡ／Ｄ変換器（以下「第２の親機Ａ／Ｄ変換器」という。）２１６と、インタ−ホン子機１ａ、１ｂ、・・・への送信信号ｓ���０８を伝送線路３へ送信するための送信ドライバ機能、伝送線路３からの受信信号ｓ２０７を受信するためのレシ−バ−機能および伝送線路３とのインピ−ダンスマッチングをとるマッチング機能を有するアナログフロントエンド回路（以下「親機アナログフロントエンド回路」という。）２１７とを備えている。
【００２３】
ここで、親機フレーム生成分離回路２１１は、親機映像信号処理回路２０３、親機音声信号処理回路２０８、親機ＣＰＵ２１０および親機デジタル信号処理装置２１２に接続され、親機映像信号処理回路２０３には第１の親機Ｄ／Ａ変換器２０２が、親機音声信号処理回路２０８には第１の親機Ａ／Ｄ変換器２０６および第２の親機Ｄ／Ａ変換器２０７が、親機ＣＰＵ２１０には第２の親機Ｄ／Ａ変換器２０７および応答ボタン２０９が、親機デジタル信号処理装置２１２には親機ＣＰＵ２１０、親機設定用メモリ２１３、親機設定用スイッチ２１４、第３の親機Ｄ／Ａ変換器２１５および第２の親機Ａ／Ｄ変換器２１６がそれぞれ接続されている。また、第１の親機Ｄ／Ａ変換器２０２はモニタ２０１に、第１の親機Ａ／Ｄ変換器２０６は親機マイク２０４に、第２の親機Ｄ／Ａ変換器２０７は親機スピーカ２０５に、第３の親機Ｄ／Ａ変換器２１５および第２の親機Ａ／Ｄ変換器２１６は親機アナログフロントエンド回路２１７に接続され、親機アナログフロントエンド回路２１７には伝送線路３が接続されている。
【００２４】
次に、このように構成された本発明のインタ−ホン装置の動作について説明する。
【００２５】
例えば、来訪者がインターホン親機２ａ（以下「第１のインターホン親機２ａ」という。）の居住者を呼び出すために、インターホン子機１ａ（以下「第１のインターホン子機１ａ」という。）の呼出ボタン１０９を押下操作すると、子機ＣＰＵ１１０により呼び出しが検知され、呼出要求としての制御デ−タｄ１０４が変換されて第１のインターホン親機２ａに対して送出される。また、これと共にカメラ１０１で撮像された来訪者の映像がアナログ映像信号ｓ１０１として第１のインターホン親機２ａに対して送出される。
【００２６】
かかる変換された制御デ−タｄ２０５が第１のインターホン親機２ａで受信されると、親機ＣＰＵ２１０において制御デ−タｄ２０５から呼出要求が解釈され、第２の親機Ｄ／Ａ変換器２０７を介して親機スピーカ２０５より呼出音を鳴動させるとともに、第１のインタ−ホン子機１ａのカメラ１０１で撮像した来訪者の映像がモニタ２０１に表示される。
【００２７】
ここで、応対者が応答ボタン２０９を押下操作すると、応答ボタン２０９の状態が親機ＣＰＵ２１０で検知されて、第１のインターホン親機２ａと第１のインターホン子機１ａ間に通話路が形成される。これにより、来訪者は応対者と通話することができる。なお、通話状態において、応対者が応答ボタン２０９を再度押下操作すると終話する。
【００２８】
次に、第１のインターホン子機１ａおよび第１のインターホン親機２ａを例にとり、子機デジタル信号処理装置１１２および親機デジタル信号処理装置２１２における変調・復調動作について説明する。
【００２９】
最初に、変調動作について説明する。
【００３０】
先ず、カメラ１０１で撮像されたアナログ映像信号ｓ１０１は、第１の子機Ａ／Ｄ変換器１０２によりデジタル映像信ｓ１０２に変換され、子機映像信号処理回路１０３にてモ−ションＪＰＥＧなどの映像デ−タｄ１０１に変換される。また、子機マイク１０４で集音されたアナログ音声信号ｓ１０３は、第２の子機Ａ／Ｄ変換器１０６によりデジタル音声信号ｓ１０４に変換され、子機音声信号処理回路１０８においてμ則ＰＣＭなどの音声デ−タｄ１０２に変換される。さらに、子機ＣＰＵ１１０から制御デ−タｄ１０４が送出される。
【００３１】
これらの映像デ−タｄ１０１、音声デ−タｄ１０２および制御デ−タｄ１０４は、子機フレーム生成分離回路１１１において、図２(ａ)に示すように、送信フレ−ムｆ１０１として組み立てられ、子機デジタル信号処理装置１１２へ送出される。かかる送信フレ−ムｆ１０１は、子機デジタル信号処理装置１１２において、子機設定用メモリ１１３に格納されたソフトウェアにより数値演算によって変調されデジタル送信信号ｓ１０８が生成される。
【００３２】
このようにして変調されたデジタル送信信号ｓ１０８は、第２の子機Ｄ／Ａ変換器１１５によりアナログ送信信号ｓ１０９に変換され、子機アナログフロントエンド回路１１７から伝送線路３を介して第１のインターホン親機２ａへ送出される。
【００３３】
次に、復調動作について説明する。
【００３４】
先ず、第１のインターホン親機２ａから送信される音声デ−タｄ２０２および制御デ−タｄ２０４は、伝送線路３を介して第１のインターホン子機１ａの子機アナログフロントエンド回路１１７で受信され、アナログ受信信号ｓ１１０として第３の子機Ａ／Ｄ変換器１１６へ入力される。かかるアナログ受信信号ｓ１１０は、第３の子機Ａ／Ｄ変換器１１６においてデジタル受信信号ｓ１０７に変換され、子機デジタル信号処理装置１１２へ入力される。かかるデジタル受信信号ｓ１０７は、子機デジタル信号処理装置１１２において、子機設定用メモリ１１３に格納されたソフトウェアにより数値演算によって復調され、図２(b)に示すような受信フレ−ムｆ１０２が生成される。かかる受信フレ−ムｆ１０２は、子機フレーム生成分離回路１１１において、音声デ−タｄ１０３と制御デ−タｄ１０５に分離され、音声デ−タｄ１０３は、子機音声信号処理回路１０８においてμ則ＰＣＭなどから逆変換によってデジタル音声信号ｓ１０５を送出し、第１の子機Ｄ／Ａ変換器１０７においてアナログ音声信号ｓ１０６に変換され子機スピーカ１０５へ出力される。また、制御デ−タｄ１０５は、子機ＣＰＵ１１０で受信され処理される。
【００３５】
以上のように、このような構成のインタ−ホン装置によれば、第１のインタ−ホン子機１ａ並びに第１のインタ−ホン親機２ａのそれぞれに、第１のインタ−ホン子機１ａと第１のインタ−ホン親機２ａ間で制御デ−タｄ１０４、ｄ１０５、ｄ２０４、ｄ２０５、音声信号ｓ１０３、ｓ１０６、ｓ２０３、ｓ２０６および映像信号ｓ１０１、ｓ２０２を相互に多重伝送するのに必要なフィルタ、ミキサ、乗算回路、変調器および復調器などの多重化機能をデジタル信号処理装置１１２、２１２の数値演算によって行うことができることから、ハ−ドウェアを共用化することができる。また、ソフトウェアによる数値演算で変復調回路を構成しているため、図２(c)に示すように、マルチキャリア変調も容易に実現することができる。
【００３６】
次に、本発明のインタ−ホン装置の付加機能について説明する。
【００３７】
第１に、子、親機デジタル信号処理装置１１２、２１２に搭載されるソフトウェアの切替え又は変更によって、振幅変調(ＡＭ)および周波数変調(ＦＭ)などの異なる多重化方式を選択することができる。
【００３８】
第２に、子、親機デジタル信号処理装置１１２、２１２に搭載されるソフトウェアを外部の設定用メモリ１１３、２１３よって変更することにより、多重伝送に必要なフィルタ、ミキサ、乗算回路、変調器および復調器などの多重化機能を構成するソフトウェアを切替え又は変更することができる。
【００３９】
第３に、子、親機デジタル信号処理装置１１２、２１２のソフトウェアを外部の設定用スイッチ１１４、２１４よって切替えることにより、多重伝送に必要なフィルタ、ミキサ、乗算回路、変調器および復調器などの多重化機能を構成するソフトウェアを切替え又は変更することができる。
【００４０】
第４に、子、親機デジタル信号処理装置１１２、２１２のソフトウェアをインタ−ホン親機及びインタ−ホン子機の少なくとも何れか一方に搭載されたＣＰＵ１１０、２１０を制御することによって、多重伝送に必要なフィルタ、ミキサ、乗算回路、変調器および復調器などの多重化機能を構成するソフトウェアを切替え又は変更することができる。
【００４１】
第５に、子、親機デジタル信号処理装置１１２、２１２のソフトウェアをインタ−ホン子機およびインタ−ホン親機の一方から他方へ切替え、変更信号を伝送することによって、多重伝送に必要なフィルタ、ミキサ、乗算回路、変調器および復調器などの多重化機能を構成するソフトウェアを切替え又は変更することができる。
【００４２】
第６に、子、親機デジタル信号処理装置１１２、２１２のソフトウェアをインタ−ホン子機およびインタ−ホン親機の一方から他方へソフトウェアを伝送することによって、多重伝送に必要なフィルタ、ミキサ、乗算回路、変調器および復調器などの多重化機能を構成するソフトウェアを切替え又は変更することができる。
【００４３】
第７に、子、親機デジタル信号処理装置１１２、２１２のソフトウェアを外部ネットワ−ク５から切替え、変更信号を伝送することによって、多重伝送に必要なフィルタ、ミキサ、乗算回路、変調器および復調器などの多重化機能を構成するソフトウェアを変更することができる。
【００４４】
第８に、子、親機デジタル信号処理装置１１２、２１２のソフトウェアを外部ネットワ−ク５からソフトウェアを伝送することによって、多重伝送に必要なフィルタ、ミキサ、乗算回路、変調器および復調器などの多重化機能を構成するソフトウェアを変更することができる。
【産業上の利用可能性】
【００４５】
なお、本発明のインタ−ホン装置における好ましい実施の形態例においては、複数台のインタ−ホン子機並びに複数台のインタ−ホン親機を有するインタ−ホン装置について説明しているが、本発明はこれに限定されず、インタ−ホン子機並びにインタ−ホンは１台でも同様の効果を得ることができる。また、本発明のインタ−ホン装置は、集合住宅用のインタ−ホン装置やナースコール装置に適用しても同様の効果を得ることができる。
【図面の簡単な説明】
【００４６】
【図１】本発明におけるインタ−ホン装置の一実施例の全体構成を示すブロック図。
【図２】本発明におけるインタ−ホン装置のデ−タの構成を示すタイミング図。
【符号の説明】
【００４７】
１ａ、１ｂ・・・インタ−ホン子機
１１０・・・ＣＰＵ（子機ＣＰＵ）
１１２・・・デジタル信号処理装置（子機デジタル信号処理装置）
１１３・・・設定用メモリ（子機設定用メモリ）
１１４・・・設定用スイッチ（子機設定用スイッチ）
２ａ、２ｂ・・・インタ−ホン親機
２１０・・・ＣＰＵ（親機ＣＰＵ）
２１２・・・デジタル信号処理装置（親機デジタル信号処理装置）
２１３・・・設定用メモリ（親機設定用メモリ）
２１４・・・設定用スイッチ（親機設定用スイッチ）
ｄ１０４、ｄ１０５、ｄ２０４、ｄ２０５・・・制御デ−タ
ｓ１０３、ｓ１０６、ｓ２０３、ｓ２０６・・・音声信号
ｓ１０１、ｓ２０２・・・映像信号
５・・・外部ネットワ−ク
【図１】
2005109833.tif 000003
【図２】
2005109833.tif 000004